(57)【要約】【課題】注射器接続ポートに生じる液溜まりを拭き取り易くすること【解決手段】本発明に係る注射器接続ポート１０ａは、アダプタ１３の注射器連結部３２がキャップ部材１２のスリーブ部２６の上部開口２７の近傍にあるから、アダプタ１３の上面が拭き易くなっている。また、この注射器接続ポート１０ａによれば、ゴム弁カバー１４によって液溜まりをゴム弁カバー１４の上に誘導することができ、ゴム弁カバー１４の上面３８はキャップ部材１２のスリーブ部２６の上部開口２７から近いので、綿棒などを挿し入れることにより、ゴム弁カバー１４の上面３８の液溜まりを簡単に拭くことができる。また、アダプタ１３の流路３３は、ゴム弁カバー１４によって外部の空気から遮断されているので衛生的である。【選択図】　　　　　図１
2004000463.tif 000002
【特許請求の範囲】
【請求項１】
容器又は配管の開口部に装着され、常時は圧着密閉状態となっている弁孔を中央部に有するゴム製のシール弁と、
前記容器又は配管の開口部を覆うように装着されたキャップ部材であって、前記シール弁の弁孔を臨むように形成した開口と、前記開口を囲むように立設され、かつ注射器の口部が挿入可能なスリーブ部とを有するキャップ部材と、
前記キャップ部材のスリーブ部内に摺動可能に収容されたアダプタであって、シール弁の弁孔に挿入される挿入部と、注射器の口部が連結される注射器連結部と、前記注射器連結部から挿入部に至る流路とを有するアダプタを備え、
前記キャップ部材のスリーブ部に注射器の口部を挿入したときに、前記注射器の口部がアダプタの注射器連結部に連結されるとともに、前記アダプタの挿入部がシール弁の弁孔を押し開いて、アダプタの流路を介して容器又は配管と注射器を連通させる注射器接続ポートにおいて、
アダプタの注射器連結部の上面を、キャップ部材のスリーブ部の上部開口近傍に設けたことを特徴とする注射器接続ポート。
【請求項２】
前記アダプタの注射器連結部に、常時は閉鎖状態のスリットを有するゴム弁カバーが配設されており、前記スリットは、キャップ部材のスリーブ部に注射器の口部を挿入したときに、注射器の口部によって押し開かれるものであることを特徴とする請求項１に記載の注射器接続ポート。
【請求項３】
前記ゴム弁カバーのスリットの上部又は下部をＶ字型断面にしたことを特徴とする請求項２に記載の注射器接続ポート。
【請求項４】
前記ゴム弁カバーがキャップ部材のスリーブ部の上部開口へ向けて突出した略半球形又は略有天円筒形状の部材であることを特徴とする請求項２又は３に記載の注射器接続ポート。
【請求項５】
前記キャップ部材のスリーブ部から注射器の口部が抜かれたときに、前記アダプタの位置をキャップ部材のスリーブ部内の所定位置に復元させる位置復元部材を備えていることを特徴とする請求項１乃至４の何れかに記載の注射器接続ポート。
【請求項６】
前記位置復元部材がラッパ形状に拡径した筒状の弾性体からなり、その小径端がアダプタの挿入部を支持しており、その大径端がシール弁の上面に設置されていることを特徴とする請求項５に記載の注射器接続ポート。
【請求項７】
前記位置復元部材が、アダプタの挿入部とシール弁との間に配設されたゴム弾性体からなり、アダプタの流路下部開口を閉鎖する常時は閉鎖状態の貫通孔を有し、前記キャップ部材のスリーブ部に注射器の口部を挿入したときに、前記アダプタの挿入部が前記貫通孔を押し開くことを特徴とする請求項５に記載の注射器接続ポート。
【請求項８】
前記位置復元部材が、アーチ型の脚部を備えていることを特徴とする請求項７に記載の注射器接続ポート。
【請求項９】
前記位置復元部材の中央部に前記貫通孔が設けられており、かつ、前記位置復元部材の下面の前記中央部の周囲に、位置復元部材の弾性変形を許容するための溝が形成されていることを特徴とする請求項７に記載の注射器接続ポート。
【請求項１０】
前記アダプタに代えて、
シール弁の弁孔に挿入される挿入部と、上部にテーパ状に開口した流路とを備えた第１アダプタと、
前記第１アダプタの流路に挿入された先端部と、注射器の口部が連結される注射器連結部と、前記第１アダプタの流路と連通した流路とを備えた第２アダプタと、
前記キャップ部材のスリーブ部から注射器の口部が抜かれたときに、第２アダプタの位置をキャップ部材のスリーブ部内の所定位置に復元させる第２位置復元部材とを備えていることを特徴とする請求項１乃至９の何れかに記載の注射器接続ポート。
【請求項１１】
前記アダプタの注射器連結部が、注射器の口部の内径面に嵌合する嵌合突起部を備えていることを特徴とする請求項１に記載の注射器接続ポート。
【請求項１２】
スリーブ部の上側部とアダプタの上側部に、それぞれ前記アダプタの注射器連結部を拭き取るための切り欠きが形成されていることを特徴とする請求項１又は１１に記載の注射器接続ポート。
【請求項１３】
前記シール弁の弁孔が、シール弁の上面に第１の弁孔を備え、かつ、前記第１の弁孔に近接した位置において、シール弁の下面に第２の弁孔を備えたものであることを特徴とする請求項１乃至１２の何れかに記載の注射器接続ポート。
【請求項１４】
前記シール弁が中央に弁孔を形成したシール弁を２枚以上重ねたものであることを特徴とする請求項１乃至１２の何れかに記載の注射器接続ポート。
【請求項１５】
前記第１の弁孔と第２の弁孔をシール弁の上面と下面に段違いに平行に形成したことを特徴とする請求項１３に記載の注射器接続ポート。
【請求項１６】
前記第１の弁孔と第２の弁孔をシール弁の上面と下面に交差する方向に形成したことを特徴とする請求項１３に記載の注射器接続ポート。
【請求項１７】
前記シール弁に代えて、弁孔が形成されていないシール弁を備え、かつ、アダプタの挿入部の先端を尖った形状にしたことを特徴とする請求項１乃至１１の何れかに記載の注射器接続ポート。
【請求項１８】
前記スリーブ部にツイストロック式の注射器の雌ねじ部が螺合可能な螺合部が設けられていることを特徴とする請求項１乃至１７の何れかに記載の注射器接続ポート。
【発明の詳細な説明】
【０００１】
【発明の属する技術分野】
本発明は、容器又は配管の開口に設けられ、注射器を容器又は配管に接続するための注射器接続ポートに関するものである。
【０００２】
【従来の技術】
従来、薬液の点滴や人工透析に用いられる輸液配管に取り付けられ、輸液の抽出や薬液の混入などを行う混注管５０１は、図１９に示すように、その分岐部５０２に設けた開口５０３に気密に嵌合したゴム栓５０４と、ゴム栓５０４を被覆して開口５０３の外周フランジ部５０５に固着させたキャップ５０６とで構成されている。輸液配管を流れる輸液（図示省略）を注射器５０７で抽出する時は、キャップ５０６の中心を剥離除去し、（あるいは、予めキャップ５０６の中心部に設けられた開口から）ゴム栓５０４に注射針５０８を突き刺して内部の薬液を抽出している。
【０００３】
また、医療現場では注射器の安全性を向上させるために、図２０（ａ）に示すように、注射針６０１を注射器の口部６０２に螺合させ、注射針６０１の脱落を防止することができるツイストロック式注射器６００が採用されつつある。ツイストロック式注射器６００は、図２０（ｂ）に示すように、押子６０３と、押子６０３が装入されるシリンダ部６０４と、シリンダ部６０４からオステーパ状に突出した口部６０２と、口部６０２の周りに円筒状に延在したカラー６０５と、カラー６０５の内周面に形成された雌ねじ部６０６とを備えている。ツイストロック式注射器６００の注射針６０１は、図２０（ｃ）に示すように、ハブ部６０７の先端部に針６０８が取り付けてあり、基端部にメステーパ状の装着部６０９があり、その基端部端縁の外周に螺合片６１０が設けられている。注射針６０１は、図２０（ａ）に示すように、ツイストロック式注射器６００の雌ねじ部６０６に螺合片６１０を螺合させつつ、ツイストロック式注射器６００の口部６０２に、注射針６０１の装着部６０９を装着してツイストロック式注射器６００に取り付ける。
【０００４】
【特許文献１】
特開２００２−３０６６１０（段落番号０００１〜０００４、図２７，２８）
【０００５】
【発明が解決しようとする課題】
上述した混注管の開口のシール構造では、ゴム栓に突き刺す注射針が必要である。しかし、注射針の使用は、注射針の購入費の他に、使用済みの注射針の管理を怠れば院内感染など、重大な医療事故の原因となるので、使用済み注射針の廃棄処分に十分な配慮が必要であり、コスト面での負担や、管理面での負担を負うことになり、また使用済み注射針を誤って使用するなど不慮の医療事故のリスクを負うことになる。
【０００６】
また、注射針を取り付けないで注射器の口部をそのまま薬液瓶や混注管の開口に刺し込めれば、注射針の使用が不要になり上記の問題は解消される。また、通常の注射器の口部を刺し込めるようにしただけでなく、ツイストロック式の注射器のように口部の周りにカラーがあるものが使えることが望ましい。
【０００７】
本発明者らは、（出願時においては未公開ではあるが）特願２００１−３５５７４７号において、ツイストロック式注射器をニードルレスで使用することができる注射器接続ポートを提案している。
【０００８】
かかる注射器接続ポート７００は、図２１に示すように、
Ａ．混注管７０１の開口部７０２に装着され、常時は圧着密閉状態となっている弁孔７０３を中央部に有するゴム製のシール弁７０４と、
Ｂ．前記混注管７０１の開口部７０２を覆うように装着されたキャップ部材７０５であって、前記シール弁７０４の弁孔７０３を臨むように形成した開口７０６と、前記開口７０６を囲むように立設され、かつ注射器の口部が挿入可能なスリーブ部７０７とを有するキャップ部材７０５と、
Ｃ．前記キャップ部材７０５のスリーブ部７０７内に摺動可能に収容されたアダプタ７０８であって、シール弁７０４の弁孔７０３に挿入される挿入部７０９と、注射器の口部が連結される注射器連結部７１０と、前記注射器連結部７１０から挿入部７０９に至る流路７１１とを有するアダプタ７０８とを備えたものである。
Ｅ．この注射器接続ポート７００は、図２２に示すように、前記スリーブ部７０７にツイストロック式注射器６００の口部６０２の雌ねじ部６０６を、スリーブ部７０７の螺合片７１２に螺合させながら、ツイストロック式注射器６００の口部６０２をスリーブ部７０７にねじ込んだときに、前記ツイストロック式注射器６００の口部６０２とアダプタ７０８の注射器連結部７１０が連結され、かつ、前記アダプタ７０８の挿入部７０９でシール弁７０４の弁孔７０３を押し開き、アダプタ７０８の流路７１１を介して７０１とツイストロック式注射器６００を連通させるものである。また、この注射器接続ポート７００は、キャップ部材７０５のスリーブ部７０７からツイストロック式注射器６００を抜くと、シール弁７０４の弾性復元力により、図２１に示すように、混注管７０１の開口部７０２がシール弁７０４で閉鎖された状態に復元されるようになっている。なお、図中の７１３は、アダプタ７０８をキャップ部材７０５のスリーブ部７０７内に繋止する繋止片である。
【０００９】
なお、図２１と図２２に図示されている７０１は輸液配管に取り付けられる混注管であるが、上記の注射器接続ポートは、混注管などの配管の開口に限らず、薬液瓶や、輸液バックなどの容器の開口に取り付けることができる。
【００１０】
上記の注射器接続ポートは、注射器をスリーブから取り外したときに、アダプタの上部に液溜まりが生じるのであるが、アダプタの注射器連結部とスリーブ部の上部開口から深い位置に液溜まりが生じ、拭き取り難いことが問題であった。
【００１１】
そこで、本発明は、上記の液溜まりを拭き取り易くしたものを提供することを目的としている。
【００１２】
【課題を解決するための手段】
本発明は、注射器接続ポートに関し、注射器をスリーブから取り外したときに生じる液溜まりが、キャップ部材のスリーブ部の上部開口から浅い位置に生じるようにしたものである。
【００１３】
請求項１に記載の注射器接続ポートは、容器又は配管の開口部に装着され、常時は圧着密閉状態となっている弁孔を中央部に有するゴム製のシール弁と、前記容器又は配管の開口部を覆うように装着されたキャップ部材であって、前記シール弁の弁孔を臨むように形成した開口と、前記開口を囲むように立設され、かつ注射器の口部が挿入可能なスリーブ部とを有するキャップ部材と、前記キャップ部材のスリーブ部内に摺動可能に収容されたアダプタであって、シール弁の弁孔に挿入される挿入部と、注射器の口部が連結される注射器連結部と、前記注射器連結部から挿入部に至る流路とを有するアダプタを備え、前記キャップ部材のスリーブ部に注射器の口部を挿入したときに、前記注射器の口部がアダプタの注射器連結部に連結されるとともに、前記アダプタの挿入部がシール弁の弁孔を押し開いて、アダプタの流路を介して容器又は配管と注射器を連通させる注射器接続ポートにおいて、アダプタの注射器連結部の上面を、キャップ部材のスリーブ部の上部開口近傍に設けたことを特徴としている。この注射器接続ポートによれば、注射器をスリーブから取り外したときに生じる液溜まりが、キャップ部材のスリーブ部の上部開口から浅い位置に生じるので、アダプタの注射器連結部の上面が拭き取り易い。なお、注射器は、ツイストロック式注射器に限定されず、通常の注射器を使用することができる。また、容器には、薬液瓶や輸液バックが例示でき、配管には混注管が例示できる。
【００１４】
請求項２に記載の注射器接続ポートは、前記アダプタの注射器連結部に、常時は閉鎖状態のスリットを有するゴム弁カバーが配設されており、前記スリットは、キャップ部材のスリーブ部に注射器の口部を挿入したときに、注射器の口部によって押し開かれるものであることを特徴としている。この注射器接続ポートによれば、ゴム弁カバーによって液溜まりをゴム弁カバーの上に誘導することができるので、液溜まりが拭き取り易い。
【００１５】
請求項３に記載の注射器接続ポートは、前記ゴム弁カバーのスリットの上部又は下部をＶ字型断面にしたことを特徴としている。この注射器接続ポートによれば、キャップ部材のスリーブ部に注射器の口部を挿入したときに、ゴム弁カバーのスリットが開き易い。
【００１６】
請求項４に記載の注射器接続ポートは、前記ゴム弁カバーがキャップ部材のスリーブ部の上部開口へ向けて突出した略半球形又は略有天円筒形状の部材であることを特徴としている。この注射器接続ポートによれば、ゴム弁カバーの上の液溜まりが拭き易い。
【００１７】
請求項５に記載の注射器接続ポートは、前記キャップ部材のスリーブ部から注射器の口部が抜かれたときに、前記アダプタの位置をキャップ部材のスリーブ部内の所定位置に復元させる位置復元部材を備えていることを特徴としている。この注射器接続ポートによれば、キャップ部材のスリーブ部から注射器の口部が抜かれたときに、アダプタの注射器連結部の上面が、確実にキャップ部材のスリーブ部の上部開口近傍の位置に復元されるようになる。
【００１８】
請求項６に記載の注射器接続ポートは、前記位置復元部材がラッパ形状に拡径した筒状の弾性体からなり、その小径端がアダプタの挿入部を支持しており、その大径端がシール弁の上面に設置されていることを特徴としている。
【００１９】
請求項７に記載の注射器接続ポートは、前記位置復元部材が、アダプタの挿入部とシール弁との間に配設されたゴム弾性体からなり、アダプタの流路下部開口を閉鎖する常時は閉鎖状態の貫通孔を有し、前記キャップ部材のスリーブ部に注射器の口部を挿入したときに、前記アダプタの挿入部が前記貫通孔を押し開くことを特徴としている。
【００２０】
請求項８に記載の注射器接続ポートは、前記位置復元部材が、アーチ型の脚部を備えていることを特徴としている。
【００２１】
請求項９に記載の注射器接続ポートは、前記位置復元部材の中央部に前記貫通孔が設けられており、かつ、前記位置復元部材の下面の前記中央部の周囲に位置復元部材の弾性変形を許容するための溝が形成されていることを特徴としている。
【００２２】
請求項１０に記載の注射器接続ポートは、前記アダプタに代えて、シール弁の弁孔に挿入される挿入部と、上部にテーパ状に開口した流路とを備えた第１アダプタと、前記第１アダプタの流路に挿入された先端部と、注射器の口部が連結される注射器連結部と、前記第１アダプタの流路と連通した流路とを備えた第２アダプタと、前記キャップ部材のスリーブ部から注射器の口部が抜かれたときに、第２アダプタの位置をキャップ部材のスリーブ部内の所定位置に復元させる位置復元部材とを備えていることを特徴としている。
【００２３】
請求項１１に記載の注射器接続ポートは、前記アダプタの注射器連結部が、注射器の口部の内径面に嵌合する嵌合突起部を備えていることを特徴としている。
【００２４】
請求項１２に記載の注射器接続ポートは、スリーブ部の上側部とアダプタの上側部に、それぞれ前記アダプタの注射器連結部を拭き取るための切り欠きが形成されていることを特徴としている。
【００２５】
請求項１３に記載の注射器接続ポートは、前記シール弁の弁孔が、シール弁の上面に第１の弁孔を備え、かつ、前記第１の弁孔に近接した位置において、シール弁の下面に第２の弁孔を備えたものであることを特徴としている。この注射器接続ポートによれば、注射器の口部をシール弁から抜くときに、シール弁上部の第１の弁孔と下部の第２の弁孔がそれぞれ注射器の口部に密着し、下部の第２の弁孔が閉まってから、上部の第１の弁孔が閉まるので、液漏れが少なくなる。
【００２６】
請求項１４に記載の注射器接続ポートは、前記シール弁が中央に弁孔を形成したシール弁を２枚以上重ねたものであることを特徴としている。
【００２７】
請求項１５に記載の注射器接続ポートは、前記第１の弁孔と第２の弁孔をシール弁の上面と下面に段違いに平行に形成したことを特徴としている。
【００２８】
請求項１６に記載の注射器接続ポートは、前記第１の弁孔と第２の弁孔をシール弁の上面と下面に交差する方向に形成したことを特徴としている。
【００２９】
請求項１７に記載の注射器接続ポートは、前記シール弁に代えて、弁孔が形成されていないシール弁を備え、かつ、アダプタの挿入部の先端を尖った形状にしたことを特徴としている。
【００３０】
請求項１８に記載の注射器接続ポートは、前記スリーブ部にツイストロック式の注射器の雌ねじ部が螺合可能な螺合部が設けられていることを特徴としている。
【００３１】
【発明の実施の形態】
以下、本発明に係る注射器接続ポートの実施形態を図面に基づいて説明する。なお、同じ構成には同じ符号を付し、重複する説明は省略している。
【００３２】
本発明の第１実施形態に係る注射器接続ポート１０ａは、図１に示すように、シール弁１１と、キャップ部材１２と、アダプタ１３と、ゴム弁カバー１４と、位置復元部材１５を備えており、混注管８００に設けられている。
【００３３】
混注管８００は、図１及び図２（ａ）（ｂ）に示すように、輸液配管の途中に設けた配管で、両端に輸液配管の２つの管８０１、８０２を接続する接続部８０３、８０４を備えている。混注管８００の中央には分岐部８０５があり、この分岐部８０５を臨むように開口８０６が形成されている。この開口８０６には注射器接続ポート１０ａの後述するシール弁１１を装着する円筒状の壁部８０７と、シール弁１１を着座させる着座部８０８がある。壁部８０７の上端外周縁には、注射器接続ポート１０ａの後述するキャップ部材１２を装着するための外周フランジ部８０９が外径方向に突出している。
【００３４】
シール弁１１は、図１に示すように、混注管８００の開口８０６に装着された部材で、常時は圧着密閉状態となっている弁孔２１を中央部に有している。図３（ａ）〜（ｄ）は、混注管８００の開口８０６から取り外した状態のシール弁１１を示している。
【００３５】
このシール弁１１は、図３（ａ）及び（ｂ）に示すように、シリコンゴムなどの弾性体で形成した略円板状の部材で、中心に弁孔２１を形成している。シール弁１１の外側面は外径方向に突出した凸曲面２２になっており、その外径は、混注管８００の開口８０６の壁部８０７の内径よりも少し大きくなっている。また、この実施形態では、混注管８００の分岐部８０５に面するシール弁１１の下面は、図３（ｂ）に示すように、緩やかな凹曲面２３になっている。
【００３６】
シール弁１１の弁孔２１は、スリット状に切り込みを入れたもの或いは小径孔でも良いが、図３（ｄ）に拡大して示すように、成形段階で上面に直線状の溝２１ａを形成しておき、溝２１ａの底２１ｂから下面に貫通した小穴２１ｃを形成しても良い。この場合、小穴２１ｃは針や円錐状のポンチなどを突き刺して形成するとよい。これにより、シール弁１１を混注管８００の開口８０６に装着したときに、弁孔２１の圧着密閉性がよくなる。また、このシール弁１１の上面には、図３（ａ）（ｃ）に示すように、弁孔２１の溝２１ａの長手方向の両端２１ｄにＶ字の切り込みを入れている。この図３（ｄ）の形態によれば、シール弁１１を混注管８００の開口８０６に装着したときに、弁孔２１の長手方向の両端２１ｄの収まりもよいので、シール弁１１のシール性が向上する。
【００３７】
また、シール弁１１の弁孔２１は、図４（ａ）〜（ｄ）に示すように、成形段階で下面に直線状の溝２１ａ’を形成しておき、溝２１ａ’の底２１ｂ’から外部側の面（図中上面）に貫通した小穴２１ｃ’を形成しても良い。また、この場合、シール弁１１の下面には、弁孔２１の長手方向の両端２１ｄ’にＶ字の切り込みを入れている。この場合もシール弁１１を混注管８００の開口８０６に装着したときに、弁孔２１の圧着密閉性がよく、弁孔２１の長手方向の両端２１ｄ’の収まりもよいので、シール性が向上する。
キャップ部材１２は、図１に示すように、混注管８００の開口８０６の壁部８０７の上端周縁及びシール弁１１の上面周縁を覆う部材であって、混注管８００の開口８０６の外周フランジ部８０９に嵌め込んでいる。キャップ部材１２の内側に、位置復元部材１５を装着する装着部２４を設けている。
【００３８】
キャップ部材１２の上面の中心には、シール弁１１の弁孔２１を臨むように開口２５を形成し、開口２５の周縁を囲うようにスリーブ部２６を立設させている。このスリーブ部２６の上部開口２７は、ツイストロック式注射器６００の口部６０２とカラー６０５との間の円形溝領域６１１（図２０（ｂ）参照）に装着可能な内外径になっており、スリーブ部２６の上端外周にツイストロック式注射器６００の雌ねじ部６０６と螺合する螺合片２８を外径方向に突設している。
【００３９】
また、スリーブ部２６は、後述するアダプタ１３を摺動可能に収容でき、スリーブ部２６の上端内周に、アダプタ１３がスリーブ部２６から脱落するのを防止する繋止片２９を内径側に突設している。
【００４０】
アダプタ１３は、キャップ部材１２のスリーブ部２６の内周に摺動可能に収容した部材である。アダプタ１３の下部には、シール弁１１の弁孔２１に挿入させる先細テーパ形状の挿入部３１を形成している。また、アダプタ１３の上部に、ツイストロック式注射器６００の口部６０２が連結する注射器連結部３２を設けている。また、アダプタ１３の内部に流路３３を形成しており、アダプタ１３の外周の挿入部３１の基端に、位置復元部材１５を装着する着座部３４を形成している。
【００４１】
このアダプタ１３の注射器連結部３２は、アダプタ１３の上部にツイストロック式注射器６００の口部６０２の先端形状に対応した凹部３５を形成し、この凹部３５を覆うようにゴム弁カバー１４を装着したものである。アダプタ１３の上側面にはゴム弁カバー１４を装着する装着溝３６を形成している。
【００４２】
ゴム弁カバー１４は、アダプタ１３の注射器連結部３２の凹部３５を覆う部材であり、ゴム弁カバー１４の下端内径側に突設した装着片３７を備えている。このゴム弁カバー１４は、装着片３７をアダプタ１３の装着溝３６に嵌め込んで、アダプタ１３の注射器連結部３２に取り付けている。ゴム弁カバー１４と、アダプタ１３の注射器連結部３２の凹部３５との間には、図１に示すように、ゴム弁カバー１４がアダプタ１３の凹部３５に沿って弾性変形するのを許容する空隙がある。アダプタ１３の注射器連結部３２の凹部３５を囲むゴム弁カバー１４の上面３８は、中央部が窪んでおり、その中心には、常時は閉鎖状態になっているスリット３９を形成している。スリット３９は、例えば、カッターナイフなどでカットした程度の微小なものでよい。また、このゴム弁カバー１４は、図１（ａ）に拡大して示すように、ツイストロック式注射器６００の口部６０２を挿入したときに、スリット３９が開き易いように、スリット３９の下部をＶ字型の断面４０にしている。
【００４３】
位置復元部材１５は、下側が徐々に広がったラッパ形状のゴム弾性体であり、アダプタ１３の挿入部３１に装着している。位置復元部材１５の小径側端部４１は、アダプタ１３の挿入部３１の基端に設けた着座部３４に当接させており、位置復元部材１５の大径側端部４２はシール弁１１の上面に当接させている。また、この位置復元部材１５は、キャップ部材１２の装着部２４に収めており、外径側への変形がキャップ部材１２によって規制されている。
【００４４】
この注射器接続ポート１０ａのキャップ部材１２のスリーブ部２６に、ツイストロック式注射器６００の口部６０２の雌ねじ部６０６を、スリーブ部２６の螺合片２８に螺合させながら、ツイストロック式注射器６００の口部６０２をスリーブ部２６にねじ込む（以下、単に、「キャップ部材１２のスリーブ部２６に、ツイストロック式注射器６００の口部６０２を挿し込む」という。）と、図５に示すように、ツイストロック式注射器６００の口部６０２によって、ゴム弁カバー１４の上面３８はアダプタ１３の凹部３５に沿って弾性変形するとともに、ゴム弁カバー１４のスリット３９が開かれる。そして、シール弁１１の弁孔２１は、アダプタ１３の挿入部３１で押し開かれ、シール弁１１の弁孔２１にアダプタ１３の挿入部３１が挿入される。このとき、位置復元部材１５は、図５に示すように、下方に弾性変形し、弾性力を蓄積する。
【００４５】
この状態においては、アダプタ１３の流路３３を介して混注管８００とツイストロック式注射器６００が連通した状態になる。これにより、ツイストロック式注射器６００により、混注管８００に薬液を注入したり、混注管８００から輸液を抽出したりすることができる。
【００４６】
そして、キャップ部材１２のスリーブ部２６からツイストロック式注射器６００の口部６０２を抜くと、シール弁１１の弾性復元力が作用して、アダプタ１３の挿入部３１は瞬時にシール弁１１の弁孔２１から押し出される。そして、位置復元部材１５の弾性復元力によってアダプタ１３は押し上げられ、図１に示すように元の位置に戻る。
【００４７】
この注射器接続ポート１０ａによれば、図１に示すように、ゴム弁カバー１４によって液溜まりをゴム弁カバー１４の上に誘導することができ、ゴム弁カバー１４の上面３８はキャップ部材１２のスリーブ部２６の上部開口２７から浅い位置にあるので、綿棒などを挿し入れることにより、ゴム弁カバー１４の上面３８の液溜まりを簡単に拭くことができる。また、アダプタ１３の流路３３は、ゴム弁カバー１４によって外部の空気から遮断されているので衛生的である。
【００４８】
次に、第２実施形態の注射器接続ポートを説明する。図６及び図７は、第２実施形態に係る注射器接続ポート１０ｂを示しており、この第２実施形態に係る注射器接続ポート１０ｂに基づいて、アダプタ１３、ゴム弁カバー１４、位置復元部材１５の変形実施例を説明する。
【００４９】
図６に示す注射器接続ポート１０ｂは、ゴム弁カバー１４に代えて略半球形状のゴム弁カバー５１を用い、アダプタ１３に代えて、注射器接続部５０にゴム弁カバー５１を装着するゴム弁カバー装着部５２を備えたアダプタ５３を用いている。
【００５０】
アダプタ５３のゴム弁カバー装着部５２は、中央に突部５４があり、突部５４の周縁部にゴム弁カバー５１の下端を装着する装着溝５５を環状に形成している。また、アダプタ５３の内部に形成した流路５６は、ゴム弁カバー装着部５２中央の突部５４の上面に開口している。
【００５１】
ゴム弁カバー５１は、略半球形状のゴム弾性体からなり、その下端部をアダプタ５３のゴム弁カバー装着部５２の装着溝５５に装着している。ゴム弁カバー５１の上下方向中間部位には、ゴム弁カバー５１の弾性変形を許容するために外周面に溝５７が形成されている。そして、ゴム弁カバー５１の円弧部５８は頂点に向かうにつれて肉厚を薄くしており、その中心部に、常時は閉鎖状態になっているスリット５９を形成している。スリット５９は、例えば、カッターナイフなどでカットした程度の微小なものである。なお、ツイストロック式注射器６００の口部６０２を挿入したときに、スリット５９が開き易くなるように、スリット５９の下部をＶ字型の断面（図示省略）にしておくのが良い。
【００５２】
キャップ部材１２のスリーブ部２６にツイストロック式注射器６００の口部を挿し込むと、図７に示すように、このゴム弁カバー５１は外周面に溝５７を設けているので、円弧部５８が外形方向に弾性変形し、ゴム弁カバー５１の円弧部５８に設けたスリット５９が開くようになっている。キャップ部材１２のスリーブ部２６からツイストロック式注射器６００の口部６０２を抜くと、ゴム弁カバー５１は、弾性復元力が作用して、図６に示す状態に戻る。
【００５３】
次に、位置復元部材１５の変形実施例を説明する。
【００５４】
位置復元部材１５の第１変形実施例としての位置復元部材６０は、例えば、図６に示すように、アダプタ５３の挿入部６１とシール弁１１との間に装着されたゴム弾性体からなり、アダプタ５３の挿入部６１の下面を支持するとともに、アダプタ５３の流路５６の下部開口を閉鎖する支持部６２と、支持部６２を支持するアーチ型の脚部６３を有している。支持部６２の中央には、常時は閉鎖状態の貫通孔６４を形成している。なお、このキャップ部材１２の装着部２４はこの位置復元部材６０を装着することができるようになっている。貫通孔６４は、例えば、カッターナイフなどでカットしたスリットでよい。
【００５５】
キャップ部材１２のスリーブ部２６にツイストロック式注射器６００の口部６０２を挿し込むと、図７に示すように、この位置復元部材６０の貫通孔６４およびシール弁１１の弁孔２１はアダプタ５３の挿入部６１によって押し開かれる。位置復元部材６０の支持部６２及びアーチ型の脚部６３は、アダプタ５３の挿入部６１の下降に伴って弾性変形する。このとき、位置復元部材６０は、支持部６２及びアーチ型の脚部６３に弾性力を蓄える。
【００５６】
そして、キャップ部材１２のスリーブ部２６からツイストロック式注射器６００の口部６０２を抜くと、シール弁１１の弾性復元力によって、アダプタ５３の挿入部６１は、シール弁１１の弁孔２１から押し出される。そして、支持部６２及びアーチ型の脚部６３の弾性変形によって蓄えられた位置復元部材６０の弾性復元力によって、図６に示すように、アダプタ５３が元の位置に戻るとともに、支持部６２の貫通孔６４が閉鎖状態に戻る。この位置復元部材６０は、アダプタ５３を元の位置に復元させる位置復元部材としての機能と、アダプタ５３の流路５６の下部開口を閉鎖する閉鎖弁としての機能を兼ね備えている。
【００５７】
図６及び図７に示す注射器接続ポート１０ｂは、図１及び図５に示す第１実施形態の注射器接続ポート１０ａと同様、ゴム弁カバー５１の円弧部５８がキャップ部材１２のスリーブ部２６の上部開口２７から近いので、綿棒などを挿し入れることにより、ゴム弁カバー５１の上面の液溜まりを簡単に拭くことができる。また、アダプタ５３の流路５６は、ゴム弁カバー５１によって外部の空気から遮断されているので衛生的である。
【００５８】
以上、シール弁と、アダプタと、ゴム弁カバーと、位置復元部材を備えた注射器接続ポートの実施形態を説明したが、シール弁の弾性復元力により、キャップ部材のスリーブ部からツイストロック式注射器の口部を抜いたときに、アダプタの位置を復元させることもできる。また、ゴム弁カバーの配設状態として、アダプタに設けたゴム弁カバー装着部にゴム弁カバーを装着した形態を例示したが、ゴム弁カバーの配設例は、上記に限定されるものではない。
【００５９】
次に、第３実施形態に係る注射器接続ポート１０ｃを説明する。図８及び図９は、第３実施形態に係る注射器接続ポート１０ｃを示しており、この第３実施形態に係る注射器接続ポート１０ｃに基づいて、位置復元部材を廃し、キャップ部材のスリーブ部からツイストロック式注射器の口部を抜いたときに、シール弁の弾性復元力により、アダプタが元の位置に復帰する実施例を説明する。
【００６０】
この注射器接続ポート１０ｃは、キャップ部材１２と、シール弁１３１と、アダプタ１３２と、ゴム弁カバー１３３とを備えている。なお、図中の混注管８００は、第１実施形態のものと形状は異なるが、構成上は同一であり、対応する部位に同一の符号を付している。
【００６１】
キャップ部材１２の構成は、上述したキャップ部材１２と形状は異なるが、構成上は同一であり、対応する部位に同一の符号を付している。また、シール弁１３１の構成も上述したシール弁１１と略同じである。なお、この実施形態のシール弁１３１は、相当の弾性特性を備えた材料を選択することや、厚さを厚くすることにより、その弾性復元力により、キャップ部材１２のスリーブ部２６からツイストロック式注射器６００の口部６０２を抜いたときに、アダプタ１３２の位置を元の位置に復帰させることができるようになっている。また、シール弁１３１の上面の中央部は窪んでおり、アダプタ１３２の挿入部１３２ｂを受ける受け部１３１ａなっている。なお、このシール弁１３１の中央部に形成されている弁孔１３１ｂは、上述した第１実施形態に係る注射器接続ポート１０ａのシール弁１１の弁孔２１と同じ構造である。
【００６２】
アダプタ１３２は、キャップ部材１２のスリーブ部の内周に摺動可能に収容されており、内部には流路１３２ａが形成されている。アダプタ１３２の下部には、シール弁１１の弁孔２１に挿入させる先細テーパ形状の挿入部１３２ｂが形成されている。また、このアダプタ１３２の上部１３２ｃはゴム弁カバー平らな面で形成されている。
【００６３】
ゴム弁カバー１３３は、略有天円筒形状（略逆コップ形状）のゴム弾性体からなり、円筒形状の脚部１３３ａと、天井部１３３ｂを備えている。このゴム弁カバー１３３は、アダプタ１３２の上部に載置されている。脚部１３３ａは、下側が漸次太くなっており、アダプタ１３２の上部に載置したときにゴム弁カバー１３３が安定するようになっている。また、ゴム弁カバー１３３は、アダプタ１３２の上部に載置された状態で、キャップ部材１２のスリーブ部２６に収容されている。ゴム弁カバー１３３は、天井部１３３ｂの外周に設けた段差１３３ｃが設けてあり、キャップ部材１２の繋止片２９が段差１３３ｃに係合することにより、キャップ部材１２のスリーブ部２６内に保持されている。また、常時は、天井部１３３ｂの上面が、キャップ部材１２のスリーブ部２６の上部開口２７に嵌まり込んだ状態で、キャップ部材１２のスリーブ部２６の上部開口２７から外部に露出している。また、図８（ｂ）に示すように、ゴム弁カバー１３３は、天井部１３３ｂの中央部にスリット１３３ｄが形成されている。スリット１３３ｄは、カッターナイフ等で微小にカットしたものでもよいが、このゴム弁カバー１３３は、図８（ａ）に示すように、スリット１３３ｄの上部をＶ字型の断面（図示省略）に形成している。
【００６４】
この実施形態に係る注射器接続ポート１０ｃは、キャップ部材１２のスリーブ部２６にツイストロック式注射器６００の口部６０２を挿し込むと、図９に示すように、ゴム弁カバー１３３のスリット１３３ｄが押し開かれるとともに、アダプタ１３２が下方に押し込まれる。そして、アダプタ１３２の挿入部１３２ｂによって、シール弁１３１の弁孔１３１ｂが押し開かれる。このとき、シール弁１３１及びゴム弁カバー１３３は弾性力を蓄える。
【００６５】
そして、キャップ部材１２のスリーブ部２６からツイストロック式注射器６００の口部６０２を抜くと、シール弁１１の弾性復元力によって、シール弁１３１は元の形状に戻り、弁孔１３１ｂは閉じられる。そして、アダプタ１３２は、シール弁１１の弁孔２１から押し出され、元の位置に復帰し、ゴム弁カバー１３３も弾性復元力によって元の形状に戻り、スリット１３３ｄは閉じられる。
【００６６】
この実施形態では、シール弁１３１は、アダプタ１３２を元の位置に復元させる位置復元部材としての機能を兼ね備えている。
【００６７】
また、この実施形態では、ゴム弁カバー１３３は、アダプタ１３２の上部に載置するだけでよいので、組み付け作業が容易である。
【００６８】
次に、図１０及び図１１は、第４実施形態に係る注射器接続ポート１０ｄを示している。
【００６９】
この第４実施形態に係る注射器接続ポート１０ｄに基づいて、アダプタ１３、位置復元部材１５の変形実施例を説明する。図１０に示す注射器接続ポート１０ｄは、位置復元部材１５に代えて図示する位置復元部材７０を用い、アダプタ１３に代えてゴム弁カバー１４が装着されていないアダプタ７１を用いたものである。
【００７０】
位置復元部材７０は、アダプタ７１の挿入部７２とシール弁１１との間に装着されたゴム弾性体からなる。位置復元部材７０の中央部７３の上面は、アダプタ７１の挿入部７２を支持するとともに、アダプタ７１の流路７４の下部開口を閉鎖しており、この位置復元部材７０の中央部７３の下面は、シール弁１１の上面に接地している。この中央部７３には、常時は閉鎖状態の貫通孔７５を形成している。位置復元部材７０の下面には、貫通孔７５を形成した中央部７３の周囲に、断面Ｖ字型の溝７６を環状に形成している。なお、貫通孔７５は、例えば、カッターナイフなどでカットしたスリットでよい。
【００７１】
この位置復元部材７０は、キャップ部材１２のスリーブ部２６にツイストロック式注射器６００の口部６０２を挿し込むと、図１１に示すように、位置復元部材７０の貫通孔７５はアダプタ７１の挿入部７２によって押し開かれ、アダプタ７１の挿入部７２の下降に伴って、位置復元部材７０の中央部７３が下方に弾性変形する。このとき、位置復元部材７０に弾性力が蓄えられる。
【００７２】
そして、キャップ部材１２のスリーブ部２６からツイストロック式注射器６００の口部６０２を抜くと、位置復元部材７０に蓄えられた弾性復元力が作用してアダプタ７１が元の位置に復元されるとともに、位置復元部材７０の中央部７３の貫通孔７５が閉鎖状態に戻り、図１０に示す状態になる。この位置復元部材７０は、アダプタ７１を元の位置に復元させる位置復元部材としての機能と、アダプタ７１の流路７４の下部開口を閉鎖する閉鎖弁としての機能を兼ね備えている。
【００７３】
また、図１０に示すアダプタ７１は、ゴム弁カバー１４が装着されていないものである。このアダプタ７１の注射器連結部７７の上面７８を、キャップ部材１２のスリーブ部２６の上部開口２７の近傍（上部開口２７から浅い位置）に設けたものである。このアダプタ７１の注射器連結部７７の上面７８には、ツイストロック式注射器６００の口部６０２の内周面に嵌合する嵌合突起７９を形成している。アダプタ７１の流路７４は、嵌合突起７９の上面に開口している。
【００７４】
キャップ部材１２のスリーブ部２６にツイストロック式注射器６００の口部６０２を挿し込むと、図１１に示すように、ツイストロック式注射器６００の口部６０２の内周面にアダプタ７１の嵌合突起７９が嵌合する。これにより、ツイストロック式注射器６００の口部６０２とアダプタ７１の流路７４との連結部において液漏れの発生を抑えている。
【００７５】
そして、キャップ部材１２のスリーブ部２６からツイストロック式注射器６００の口部６０２を抜くと、シール弁１１の弾性復元力によって、アダプタ７１の挿入部７２はシール弁１１の弁孔２１から押し出される。そして、ツイストロック式注射器６００の口部６０２の内周面にアダプタ７１の嵌合突起７９が嵌合しているので、アダプタ７１が確実に上方に引き上げられる。
【００７６】
キャップ部材１２のスリーブ部２６からツイストロック式注射器６００の口部６０２を抜くと、図１０に示すように、アダプタ７１は位置復元部材７０によって元の位置に復元される。この状態においては、アダプタ７１の注射器連結部７７の上面７８が、キャップ部材１２のスリーブ部２６の上部開口２７から浅い位置にあるので、綿棒などを挿し入れることにより、注射器連結部７７の上面７８の液溜まりを簡単に拭くことができる。
【００７７】
上述した各実施形態においては、キャップ部材１２のスリーブ部２６にツイストロック式注射器６００の口部６０２を挿し込んでときに、アダプタ７１の挿入部７２の先端がシール弁１１の弁孔２１に差し込まれすぎないことが望ましい。次に、アダプタの挿入部の先端の進入量を抑えることができる注射器接続ポートの実施の形態を説明する。
【００７８】
次に、図１２及び図１３は、第５実施形態に係る注射器接続ポート１０ｅを示している。
【００７９】
この第５実施形態に係る注射器接続ポート１０ｅに基づいて、アダプタ１３、ゴム弁カバー１４の変形実施例を説明する。図１２に示す注射器接続ポート１０ｅは、アダプタ１３に代えて図示する第１アダプタ８１と第２アダプタ８２を用い、また、ゴム弁カバー１４に代えて、ゴム弁カバー８３を用いたものである。
【００８０】
この第１アダプタ８１は、シール弁１１側に配設されるアダプタであり、シール弁１１側に向けて縮径した先細テーパ状の挿入部８４があり、挿入部８４の基端には位置復元部材１５を装着する着座部８５がある。第１アダプタ８１の内部には第１流路８６を形成しており、この第１流路８６の上部は上方に向けて拡径したテーパ孔にしている。
【００８１】
第２アダプタ８２は、下部に第１アダプタ８１の第１流路８６に挿入される先細テーパ状の先端部８７を備えており、上部にツイストロック式注射器６００の口部６０２が連結される注射器連結部８８を備えている。注射器連結部８８は、第２アダプタ８２の上面にツイストロック式注射器６００の口部６０２の先端形状に対応した凹部８９を形成し、この凹部８９を覆うようにゴム弁カバー８３を装着したものである。第２アダプタ８２の内部には、第１アダプタ８１の第１流路８６と連通した第２流路９０を形成している。
【００８２】
なお、キャップ部材１２のスリーブ部２６にツイストロック式注射器６００の口部２５が挿し込まれていない状態では、図１２に示すように、後述するゴム弁カバー８３の位置復元部９１で第２アダプタ８２を弾性的に支持しており、第２アダプタ８２の先端部８７を、第１アダプタ８１の第１流路８６に対して少し遊びがある状態で挿入している。
【００８３】
ゴム弁カバー８３はゴム弾性体からなり、第２アダプタ８２の上面に設けられた凹部８９を覆う部材である。ゴム弁カバー８３の下端は内径側に湾曲しており、第２位置復元部材としての位置復元部９１を構成している。ゴム弁カバー８３は、第２アダプタ８２の上部に装着しており、ゴム弁カバー８３の位置復元部９１は、第１アダプタ８１と第２アダプタ８２の間に挟まれた状態で配設している。
【００８４】
第２アダプタ８２の凹部８９を覆うゴム弁カバー８３の上面９２の中央には、常時は閉鎖状態のスリット９３を形成している。スリット９３は、例えば、カッターナイフなどでカットした程度の微小なものである。なお、図示は省略するが、ツイストロック式注射器６００の口部６０２を挿入したときに、スリット９３が開き易いように、スリット９３の下面をＶ字型の断面にしておくと良い。
【００８５】
この注射器接続ポート１０ｅは、キャップ部材１２のスリーブ部２６に、ツイストロック式注射器６００の口部６０２を挿し込むと、図１３に示すように、ツイストロック式注射器６００の口部６０２によって、ゴム弁カバー８３の上面８２は第２アダプタ８２の凹部８９に押し込まれる。これにより、ゴム弁カバー８３の上面９２は、第２アダプタ８２の凹部８９に沿って外径方向に弾性変形し、ゴム弁カバー８３のスリット８３が開かれる。さらに、ゴム弁カバー８３の位置復元部９１を第２アダプタ８２と第１アダプタ８１に挟んで圧縮するとともに、第２アダプタ８２の先端部８７を第１アダプタ８１の第１流路８６内に、より深く入り込ませてそれぞれのテーパを嵌合させる。そして、さらに第１アダプタ８１を下降させて、第１アダプタ８１の挿入部８４をシール弁１１の弁孔２１に挿入させる。
【００８６】
この注射器接続ポート１０ｅによれば、第２アダプタ８２の先端が第１アダプタ８１の第１流路８６内に入り込んだ状態で、第１アダプタ８１の挿入部８４がシール弁１１の弁孔２１を押し開くので、ツイストロック式注射器６００の口部６０２がキャップ部材１２のスリーブ部２６内に進入する距離に対して、第１アダプタ８１の挿入部８４がシール弁１１の弁孔２１内に進入する距離を抑えることができる。
【００８７】
キャップ部材１２ｄのスリーブ部２６からツイストロック式注射器６００の口部６０２を抜くと、図１３に示すように、シール弁１１の弾性復元力が作用して、第１アダプタ８１の挿入部８４が瞬時にシール弁１１の弁孔２１から押し出されるとともに、位置復元部材５１の弾性復元力により第１アダプタ８１が元の位置に戻り、さらにゴム弁カバー８３の位置復元部９１の弾性復元力により第２アダプタ８２が元の位置に戻る。
【００８８】
図１３に示す状態では、ゴム弁カバー８３の上面８２上に液溜まりが生じた場合でも、ゴム弁カバー８３の上面８２はキャップ部材１２ｄのスリーブ部２６の上部開口２７から浅い位置にあるので、綿棒などを挿し入れることにより、簡単に拭くことができる。また、第１アダプタ８１の第１流路８６及び第２アダプタ８２の第２流路９０は、ゴム弁カバー８３によって外部の空気から遮断されているので衛生的である。
【００８９】
次に、図１４及び図１５は、第６実施形態に係る注射器接続ポート１０ｆを示している。
【００９０】
この第６実施形態に係る注射器接続ポート１０ｆに基づいて、アダプタ１３の変形実施例を説明する。図１４に示す注射器接続ポート１０ｆは、アダプタ１３に代えて図示するアダプタ１００を用いている。また、この注射器接続ポート１０ｆは、図１４に示すように、シール弁１１と、キャップ部材１２と、アダプタ１００からなり、ゴム弁カバー１４と位置復元部材１５は備えていない。なお、位置復元部材１５を備えていないので、図示するように、キャップ部材１２はシール弁１１の上面を直接固定する形状になっている。
【００９１】
このアダプタ１００は、注射器連結部１０１の上面１０２を、キャップ部材１２のスリーブ部２６の上部開口２７から浅い位置に設けたものである。アダプタ１００の上面１０２には、ツイストロック式注射器６００の口部６０２の内周面に嵌合する嵌合突起１０３と、ツイストロック式注射器６００の口部６０２の外周面が嵌合する嵌合壁１０４が設けてある。またアダプタ１００の下部には、シール弁１１の弁孔２１に挿入される挿入部１０５を設けてある。アダプタ１００の内部には流路１０６が形成されている。
【００９２】
キャップ部材１２のスリーブ部２６に、ツイストロック式注射器６００の口部６０２を挿し込むと、図１５に示すように、ツイストロック式注射器６００の口部６０２にアダプタ１００の上面１０２の嵌合突起１０３と嵌合壁１０４が嵌合し、その状態で、アダプタ１００の挿入部１０５がシール弁１１の弁孔２１に挿入される。
【００９３】
キャップ部材１２のスリーブ部２６からツイストロック式注射器６００の口部６０２を抜くと、図１４に示すように、シール弁１１の弾性復元力によって、アダプタ１００の挿入部１０５が瞬時にシール弁１１の弁孔２１から押し出される。アダプタ１００は、アダプタ１００の嵌合突起１０３と嵌合壁１０４がツイストロック式注射器６００の口部６０２に嵌合しているので、ツイストロック式注射器６００の口部６０２と共に上がる。
【００９４】
アダプタ１００はキャップ部材１２のスリーブ部２６に設けた繋止部２９によってスリーブ部２６内に繋止されるので、アダプタ１００の嵌合突起１０３及び嵌合壁１０４と、ツイストロック式注射器６００の口部６０２との嵌合状態は、ツイストロック式注射器６００の口部６０２をキャップ部材１２のスリーブ部２６から抜くときに外れる。
【００９５】
この注射器接続ポート１０ｆによれば、ツイストロック式注射器６００の口部６０２を受けるアダプタ１００の上面１０２を、キャップ部材１２のスリーブ部２６の上部開口２７から浅い位置に配設しているので、アダプタ１００の上面１０２に生じた液溜まりを綿棒で拭き取ることが容易である。
【００９６】
次に、図１６（ａ）〜（ｃ）は、第７実施形態に係る注射器接続ポート１０ｇを示している。
【００９７】
この第７実施形態に係る注射器接続ポート１０ｇに基づいて、第５実施形態の注射器接続ポート１０ｆの変形実施例を説明する。
【００９８】
この注射器接続ポート１０ｇは、アダプタ１００の嵌合壁１０４の上側部と、キャップ部材１２のスリーブ部２６の上側部に、それぞれ切り欠き１０７、１０８を設けたものである。
【００９９】
この切り欠き１０７、１０８は、図１６（ｃ）に示すように、アダプタ１００の上面１０１を拭く開口窓部になっている。すなわち、この注射器接続ポート１０ｇは、このように切り欠き１０７、１０８を形成したことにより、綿棒などをアダプタ１００の注射器連結部１０１に斜めから挿入することもでき、アダプタ１００の上面１０２に生じた液溜まりを拭き取り易い。
【０１００】
また、図１６（ａ）〜（ｃ）に示すように、アダプタ１００の嵌合壁１０４の切り欠き１０７とキャップ部材１２のスリーブ部２６の切り欠き１０８が、相対的に周方向にずれないように、アダプタ１００の嵌合壁１０４の外周面とキャップ部材１２のスリーブ部２６の内周面との間に一対のガイド機構１０９、１１０を設けている。
【０１０１】
次に、図１７は、第８実施形態に係る注射器接続ポート１０ｈを示している。
【０１０２】
この第８実施形態に係る注射器接続ポート１０ｈに基づいて、アダプタと、シール弁の変形実施例を説明する。図１７に示す注射器接続ポート１０ｈは、第１実施形態に係る注射器接続ポート１０ａにおいて、アダプタ１３として挿入部３１の先端が尖った形状（斜めに切り落とした形状）のものを用い、かつ、シール弁１１として弁孔２１が形成されていないものを用いたものである。
【０１０３】
この注射器接続ポート１０ｈは、キャップ部材１２のスリーブ部２６にツイストロック式注射器６００の口部６０２を最初に挿し込んだときに、アダプタ１３の挿入部３１の先端によって、シール弁１１に穴が開くようになっている。
【０１０４】
次に、本発明に係る注射器接続ポートのシール弁１１の好適な形態を説明する。
【０１０５】
シール弁１１は、上述したものに代えて、図１８（ａ）に示すように、上下両面に、それぞれ上面又は下面にのみ開口した弁孔１２０が形成されているシール弁１２１ものでもよい。また、図１８（ｂ）に示すように、中央に弁孔１２２が形成されたシール弁１２３を２枚以上（複数枚）重ねたものとしても良い。これらのシール弁１２１、１２３において、シール弁１２１、１２３の表裏に形成された弁孔１２０、１２２は、図１８（ａ）に示すように交差する方向に設けても良いし、図１８（ｂ）に示すように段違いに平行に設けても良い。
【０１０６】
このように、シール弁１２１、１２３の表裏にそれぞれ弁孔１２０、１２２を形成することにより、注射器接続ポートに生じる液溜まりをシール弁で低減させることができる。
【０１０７】
以上、本発明に係る注射器接続ポートの実施の形態を説明したが、本発明に係る注射器接続ポートは上記の実施の形態に限定されるものではない。シール弁、キャップ部材、アダプタ、ゴム弁カバー、位置復元部材は、それぞれ上述した実施形態に限定されるものではなく、種々の変更が可能である。位置復元部材は、例えば、スポンジで構成してもよい。また、本発明に係る注射器接続ポートが装着されるものは、混注管などの配管に限らず、薬液瓶や輸液バックなどの容器にも用いることが可能である。
【０１０８】
また、例えば、上述したシール弁は、上面および下面の中央部をそれぞれアーチ型凹部形状とすること、又は、上面又は下面の何れか一方を平面とし、他方をアーチ型凹部形状とすることにより、弁孔の近傍でより大きな圧縮応力が作用するようにしており、これにより、弁孔が常時は確実に圧着密閉されるようにしており、輸液が外部に漏れないようにしている。
【０１０９】
しかし、本発明のシール弁はこれに限定されるものではなく、図示は省略するけれども、輸液が外部に漏れないのであれば、例えば、上面および下面とも平面状にしたり、上面および下面ともアーチ型凸部形状にしたり、また、上面と下面の何れか一方が平面状で他方がアーチ型凸部形状にしたりしてもよい。
【０１１０】
また、ゴム弁カバーの天井部の断面形状については、特に、限定されるものではなく、例えば、上面を凸面、凹面又は平面の何れかを選択し、下面を凸面、凹面又は平面の何れかを選択して断面形状を決定することができる。
【０１１１】
【発明の効果】
請求項１に記載の注射器接続ポートは、アダプタの注射器連結部の上面が、キャップ部材のスリーブ部の上部開口近傍に設けられており、注射器をスリーブから取り外したときに生じる液溜まりが、キャップ部材のスリーブ部の上部開口から浅い位置に生じるので、アダプタの注射器連結部の上面が拭き取り易い。
【０１１２】
請求項２に記載の注射器接続ポートは、前記アダプタの注射器連結部に、常時は閉鎖状態のスリットを有するゴム弁カバーが配設されており、前記スリットは、キャップ部材のスリーブ部に注射器の口部を挿入したときに、注射器の口部によって押し開かれるものである。この注射器接続ポートは、キャップ部材のスリーブ部に注射器の口部を抜いたときは、ゴム弁カバーによって液溜まりをゴム弁カバーの上に誘導することができ、ゴム弁カバーの上面はキャップ部材のスリーブ部の上部開口から近いので、ゴム弁カバーの上面の液溜まりを簡単に拭くことができる。また、アダプタの流路は、ゴム弁カバーによって外部の空気から遮断されているので衛生的である。
【０１１３】
請求項３に記載の注射器接続ポートは、前記ゴム弁カバーのスリットの上部又は下部をＶ字型断面にしたので、キャップ部材のスリーブ部に注射器の口部を挿入したときに、ゴム弁カバーのスリットが開き易い。
【０１１４】
請求項４に記載の注射器接続ポートは、前記ゴム弁カバーがキャップ部材のスリーブ部の上部開口へ向けて突出した略半球形又は略有天円筒形状の部材であるので、キャップ部材のスリーブ部に注射器の口部を挿入したときに、ゴム弁カバーのスリットが開き易く、かつ、ゴム弁カバーの上の液溜まりが拭き易い。
【０１１５】
請求項５に記載の注射器接続ポートは、前記キャップ部材のスリーブ部から注射器の口部が抜かれたときに、前記アダプタの位置をキャップ部材のスリーブ部内の所定位置に復元させる位置復元部材を備えているので、キャップ部材のスリーブ部から注射器の口部が抜かれたときに、アダプタの注射器連結部の上面が、確実にキャップ部材のスリーブ部の上部開口近傍の位置に復元されるようになる。
【０１１６】
請求項６に記載の注射器接続ポートは、前記位置復元部材がラッパ形状に拡径した筒状の弾性体からなり、その小径端がアダプタの挿入部を支持しており、その大径端がシール弁の上面に設置されたものであり、請求項５の注射器接続ポートと同様の作用効果を得ることができる。
【０１１７】
請求項７に記載の注射器接続ポートは、前記位置復元部材が、アダプタの挿入部とシール弁との間に配設されたゴム弾性体からなり、アダプタの流路下部開口を閉鎖する常時は閉鎖状態の貫通孔を有し、前記キャップ部材のスリーブ部に注射器の口部を挿入したときに、前記アダプタの挿入部が前記貫通孔を押し開くので、請求項７の注射器接続ポートと同様の作用効果を得ることができ、かつ、アダプタの流路の下部開口を閉鎖することができるから衛生的である。
【０１１８】
請求項８に記載の注射器接続ポートは、前記位置復元部材が、アーチ型の脚部を備えたものであり、請求項５の注射器接続ポートと同様の作用効果を得ることができる。
【０１１９】
請求項９に記載の注射器接続ポートは、前記位置復元部材の中央部に前記貫通孔が設けられており、かつ、前記位置復元部材の下面の前記中央部の周囲に位置復元部材の弾性変形を許容するための溝が形成されたものである。この注射器接続ポートによれば、請求項７の注射器接続ポートと同様の作用効果を得ることができる。
【０１２０】
請求項１０に記載の注射器接続ポートは、前記アダプタに代えて、シール弁の弁孔に挿入される挿入部と、上部にテーパ状に開口した流路とを備えた第１アダプタと、前記第１アダプタの流路に挿入された先端部と、注射器の口部が連結される注射器連結部と、前記第１アダプタの流路と連通した流路とを備えた第２アダプタと、前記キャップ部材のスリーブ部から注射器の口部が抜かれたときに、第２アダプタの位置をキャップ部材のスリーブ部内の所定位置に復元させる位置復元部材とを備えている。この注射器接続ポートによれば、第２アダプタの先端が第１アダプタの第１流路内に入り込んだ状態で、第１アダプタの挿入部がシール弁の弁孔を押し開くので、ツイストロック式注射器の口部がキャップ部材のスリーブ部内に進入する距離に対して、第１アダプタの挿入部がシール弁の弁孔内に進入する距離を抑えることができる。
【０１２１】
請求項１１に記載の注射器接続ポートは、前記アダプタの注射器連結部が、注射器の口部の内径面に嵌合する嵌合突起部を備えているので、キャップ部材のスリーブ部に注射器の口部が挿し込まれたときに、嵌合突起部により、アダプタが注射器の口部に嵌合するようになっており、アダプタの上面が確実に、キャップ部材のスリーブ部の上部開口の近傍に復元されるようになっている。
【０１２２】
請求項１２に記載の注射器接続ポートは、スリーブ部の上側部とアダプタの上側部に、それぞれ前記アダプタの注射器連結部を拭き取るための切り欠きが形成されているので、綿棒などをアダプタの注射器連結部に斜めから挿入することもでき、アダプタの上面が拭き易くなっている。
【０１２３】
請求項１３に記載の注射器接続ポートは、前記シール弁の弁孔が、シール弁の上面に第１の弁孔を備え、かつ、前記第１の弁孔に近接した位置において、シール弁の下面に第２の弁孔を備えたものであるので、注射器の口部がシール弁の弁孔から抜けるときに、シール弁の上面と下面の弁孔がそれぞれ注射器の口部に密着しながら、注射器の口部が弁孔から抜けるので、液漏れが少なくなる。
【０１２４】
請求項１４に記載の注射器接続ポートは、前記シール弁が中央に弁孔を形成したシール弁を２枚以上重ねたものであることを特徴としている。
【０１２５】
請求項１５に記載の注射器接続ポートは、前記第１の弁孔と第２の弁孔をシール弁の上面と下面に段違いに平行に形成したことを特徴としている。
【０１２６】
請求項１６に記載の注射器接続ポートは、前記第１の弁孔と第２の弁孔をシール弁の上面と下面に交差する方向に形成したことを特徴としている。
【０１２７】
請求項１４から請求項１６に記載の注射器接続ポートは、それぞれ請求項１３の注射器接続ポートと同じ作用効果を備えている。
【０１２８】
請求項１７に記載の注射器接続ポートは、前記シール弁に代えて、弁孔が形成されていないシール弁を備え、かつ、アダプタの挿入部の先端を尖った形状にしたので、この注射器接続ポートは、キャップ部材のスリーブ部にツイストロック式注射器の口部を最初に挿し込んだときに、アダプタの挿入部の先端によって、シール弁に穴が開くようになっている。
【０１２９】
請求項１８に記載の注射器接続ポートは、前記スリーブ部にツイストロック式の注射器の雌ねじ部が螺合可能な螺合部が設けられているので、特に、ツイストロック式注射器を用いる場合に、キャップ部材のスリーブ部にツイストロック式注射器の口部を挿し込んだ状態で、ツイストロック式注射器が安定するので作業性がよい。
【図面の簡単な説明】
【図１】本発明の第１実施形態に係る注射器接続ポートの断面図である。
【図２】（ａ）は混注管の平面図、（ｂ）は混注管の縦断面図である。
【図３】（ａ）は本発明の一実施形態に係るシール弁を示す平面図、（ｂ）はシール弁の横断面図、（ｃ）は弁孔の溝の両端部分を拡大した平面図、（ｄ）はシール弁の弁孔を拡大した横断面図である。
【図４】（ａ）はシール弁の変形例を示す横断面図、（ｂ）は変形例に係るシール弁の底面図、（ｃ）は変形例に係るシール弁の弁孔を拡大した横断面図、（ｄ）は弁孔の溝の両端部分を拡大した底面図である。
【図５】本発明の第１実施形態に係る注射器接続ポートのツイストロック式注射器の口部を挿し込んだ状態を示す断面図である。
【図６】本発明の第２実施形態に係る注射器接続ポートの断面図である。
【図７】本発明の第２実施形態に係る注射器接続ポートのツイストロック式注射器の口部を挿し込んだ状態を示す断面図である。
【図８】（ａ）は本発明の第３実施形態に係る注射器接続ポートの断面図、（ｂ）は本発明の第３実施形態に係る注射器接続ポートのゴム弁カバーの平面図である。
【図９】本発明の第３実施形態に係る注射器接続ポートのツイストロック式注射器の口部を挿し込んだ状態を示す断面図である。
【図１０】本発明の第４実施形態に係る注射器接続ポートの断面図である。
【図１１】本発明の第４実施形態に係る注射器接続ポートのツイストロック式注射器の口部を挿し込んだ状態を示す断面図である。
【図１２】本発明の第５実施形態に係る注射器接続ポートの断面図である。
【図１３】本発明の第５実施形態に係る注射器接続ポートのツイストロック式注射器の口部を挿し込んだ状態を示す断面図である。
【図１４】本発明の第６実施形態に係る注射器接続ポートの断面図である。
【図１５】本発明の第６実施形態に係る注射器接続ポートのツイストロック式注射器の口部を挿し込んだ状態を示す断面図である。
【図１６】（ａ）は本発明の第７実施形態に係る注射器接続ポートのアダプタを示す斜視図、（ｂ）はキャップ部材を示す斜視図、（ｃ）は注射器接続ポートを示す斜視図である。
【図１７】本発明の第８実施形態に係る注射器接続ポートの断面図である。
【図１８】（ａ）と（ｂ）は、注射器接続ポートのシール弁の変形例を示す斜視図である。
【図１９】従来の混注管の開口部の構造を示す縦断面図である。
【図２０】（ａ）はツイストロック式注射器を示す縦断面図、（ｂ）はツイストロック式注射器の口部を示す図、（ｃ）はツイストロック式注射器の注射針を示す図である。
【図２１】本発明者らが提案する注射器接続ポートの基本構造を示す断面図。
【図２２】図２１の注射器接続ポートにツイストロック式注射器の口部が挿し込まれた状態を示す断面図。
【符号の説明】
１０ａ　第１実施形態に係る注射器接続ポート
１１　シール弁
１２　キャップ部材
１３　アダプタ
１４　ゴム弁カバー
１５　位置復元部材
２１　弁孔
２２　凸曲面
２３　凹曲面
２４　装着部
２５　開口
２６　スリーブ部
２７　スリーブ部の上部開口
２８　螺合片
２９　繋止片
３１　挿入部
３２　注射器連結部
３３　流路
３４　着座部
３５　凹部
３６　装着溝
３７　装着片
３８　ゴム弁カバーの上面
３９　スリット
４０　Ｖ字型の断面
４１　小径側端部
４２　大径側端部
１０ｂ　第２実施形態に係る注射器接続ポート
５０　注射器接続部
５１　ゴム弁カバー
５２　ゴム弁カバー装着部
５３　アダプタ
５４　突部
５５　装着溝
５６　流路
５７　溝
５８　円弧部
５９　スリット
６０　位置復元部材
６１　挿入部
６２　支持部
６３　脚部
６４　貫通孔
１０ｃ　第３実施形態に係る注射器接続ポート
１３１　シール弁
１３２　アダプタ
１３３　ゴム弁カバー
１３２ｂ　挿入部
１３１ａ　受け部
１３１ｂ　弁孔
１３２ａ　流路
１３２ｂ　挿入部
１３３ａ　脚部
１３３ｂ　天井部
１３３ｃ　段差
１３３ｄ　スリット
１０ｄ　第４実施形態に係る注射器接続ポート
７０　位置復元部材
７１　アダプタ
７２　挿入部
７３　中央部
７４　流路
７５　貫通孔
７６　溝
７７　注射器連結部
７８　上面
７９　嵌合突起
１０ｅ　第５実施形態に係る注射器接続ポート
８１　第１アダプタ
８２　第２アダプタ
８３　ゴム弁カバー
８４　挿入部
８５　着座部
８６　第１流路
８７　先端部
８８　注射器連結部
８９　凹部
９０　第２流路
９１　位置復元部
９２　ゴム弁カバーの上面
９３　スリット
１０ｆ　第６実施形態に係る注射器接続ポート
１００　アダプタ
１０１　注射器連結部
１０２　上面
１０３　嵌合突起
１０４　嵌合壁
１０５　挿入部
１０６　流路
１０ｇ　第７実施形態に係る注射器接続ポート
１０７、１０８　切り欠き
１０９、１１０　ガイド機構
１０ｈ　第８実施形態に係る注射器接続ポート
１２０　弁孔
１２１　シール弁
１２２　弁孔
１２３　シール弁
６００　ツイストロック式注射器
６０２　口部
６０５　カラー
６０６　雌ねじ部
６１１　円形溝領域
８００　混注管
８０１，８０２　輸液配管
８０３，８０４　接続部
８０５　分岐部
８０６　開口
８０７　壁部
８０８　着座部
８０９　外周フランジ部
【図１】
2004000463.tif 000003
【図２】
2004000463.tif 000004
【図３】
2004000463.tif 000005
【図４】
2004000463.tif 000006
【図５】
2004000463.tif 000007
【図６】
2004000463.tif 000008
【図７】
2004000463.tif 000009
【図８】
2004000463.tif 000010
【図９】
2004000463.tif 000011
【図１０】
2004000463.tif 000012
【図１１】
2004000463.tif 000013
【図１２】
2004000463.tif 000014
【図１３】
2004000463.tif 000015
【図１４】
2004000463.tif 000016
【図１５】
2004000463.tif 000017
【図１６】
2004000463.tif 000018
【図１７】
2004000463.tif 000019
【図１８】
2004000463.tif 000020
【図１９】
2004000463.tif 000021
【図２０】
2004000463.tif 000022
【図２１】
2004000463.tif 000023
【図２２】
2004000463.tif 000024